【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
ｉ）ホスホン酸又は燐酸と場合によりアルコキシル化されたヒドロキシアルキル（メタ）アクリレートとのエステルから選択される、少なくとも１種のエチレン系不飽和モノマー（Ｍ１）及びそれと異なる少なくとも１種のモノマー（Ｍ２）のラジカル乳化重合によって得られる少なくとも１種のポリマー（Ｐ）、及び
ｉｉ）式（Ｉ）：
Ｒ１−Ｏ−（ＡＯ）ｍ−Ｐ（＝Ｏ）（ＯＲ２）（ＯＨ）      （Ｉ）
［式中、
ｍは、０〜２０の整数を表わし、
ＡＯは、アルキレンオキシを表わし、
Ｒ１は、Ｃ８〜Ｃ３０アルキルを表わし、かつ
Ｒ２は、Ｈ又は基−（ＡＯ）ｍ−Ｒ２ａを表わし、この際、Ｒ２ａはＲ１について挙げられた意味を有し、かつＡＯ及びｍは、前記の意味を有する］の化合物及び式（Ｉ）の化合物の塩から選択される少なくとも１種の乳化剤（Ｅ）
を含有するポリマー分散液（ＰＤ）を、塗料中で、その塗料から製造される塗被物の耐擦洗性の改善のため及び／又はその塗料から製造される塗被物の耐研磨性の改善のため及び／又はその塗料から製造される塗被物の耐汚染性の改善のため及び／又はその塗料から製造される塗被物中の顔料分散の改善のため及び／又はその塗料から製造される塗被物による揮発性有機化合物の放出の減少のために用いる使用。
【請求項２】
ポリマー（Ｐ）が乳化重合によって得られ、該乳化重合に際して、モノマー（Ｍ１）が、α，β−エチレン系不飽和モノカルボン酸及びジカルボン酸とＣ１〜Ｃ３０アルカノールとのエステル、ビニルアルコール又はアリルアルコールとＣ１〜Ｃ３０モノカルボン酸とのエステル、モノエチレン系不飽和カルボン酸及びスルホン酸、エチレン系不飽和ジカルボン酸及びその無水物及びエチレン系不飽和ジカルボン酸の半エステル、α，β−エチレン系不飽和モノカルボン酸の一級アミド及びそのＮ−アルキル誘導体及びＮ，Ｎ−ジアルキル誘導体、ビニル芳香族化合物、エチレン系不飽和ニトリル、ビニルハロゲン化物、ビニリデンハロゲン化物、α，β−エチレン系不飽和モノカルボン酸及びジカルボン酸とＣ２〜Ｃ３０アルカンジオールとのエステル、α，β−エチレン系不飽和モノカルボン酸及びジカルボン酸とＣ２〜Ｃ３０アミノアルコールとのアミド、Ｎ−ビニルラクタム、開鎖のＮ−ビニルアミド化合物、α，β−エチレン系不飽和モノカルボン酸及びジカルボン酸とアミノアルコールとのエステル、α，β−エチレン系不飽和モノカルボン酸及びジカルボン酸とジアミンとのアミド、Ｎ，Ｎ−ジアリルアミン、Ｎ，Ｎ−ジアリル−Ｎ−アルキルアミン、ビニル置換及びアリル置換の窒素複素環、ビニルエーテル、Ｃ２〜Ｃ８モノオレフィン、少なくとも２個の共役二重結合を有する非芳香族炭化水素、ポリエーテル（メタ）アクリレート、尿素基を有するモノマー及びその混合物から選択される、請求項１に記載の使用。
【請求項３】
ポリマー（Ｐ）が乳化重合によって得られ、該乳化重合に際して、モノマー（Ｍ１）が、α，β−エチレン系不飽和モノカルボン酸及びジカルボン酸とＣ１〜Ｃ３０アルカノールとのエステル、ビニルアルコール又はアリルアルコールとＣ１〜Ｃ３０モノカルボン酸とのエステル、モノエチレン系不飽和カルボン酸及びスルホン酸、α，β−エチレン系不飽和モノカルボン酸の一級アミド及びそのＮ−アルキル誘導体及びＮ，Ｎ−ジアルキル誘導体及びその混合物から選択される、請求項１又は２に記載の使用。
【請求項４】
ポリマー（Ｐ）が乳化重合によって得られ、該乳化重合に際して、モノマー（Ｍ１）の少なくとも一部分が、α，β−エチレン系不飽和モノカルボン酸及びジカルボン酸とＣ１〜Ｃ３０アルカノールとのエステルから選択される、請求項１から３までのいずれか１項に記載の使用。
【請求項５】
ポリマー（Ｐ）が乳化重合によって得られ、該乳化重合に際して、モノマー（Ｍ１）の割合が、乳化重合に使用されるモノマーの全質量に対して、９５〜９９．９９質量％の範囲である、請求項１から４までのいずれか１項に記載の使用。
【請求項６】
ポリマー（Ｐ）が乳化重合によって得られ、該乳化重合に際して、モノマー（Ｍ１）の全質量に対して、モノマー（Ｍ１）の少なくとも５０質量％、有利に少なくとも６０質量％及び特に有利に少なくとも８０質量％が、α，β−エチレン系不飽和モノカルボン酸及びジカルボン酸とＣ１〜Ｃ３０アルカノールとのエステル、ビニルアルコール又はアリルアルコールとＣ１〜Ｃ３０モノカルボン酸とのエステル、エチレン系不飽和ニトリル、ビニルハロゲン化物、ビニリデンハロゲン化物及びその混合物（＝モノマーＭ１．ａ）から選択される、請求項１から５までのいずれか１項に記載の使用。
【請求項７】
ポリマー（Ｐ）が乳化重合によって得られ、該乳化重合に際して、モノマー（Ｍ１）の全質量に対して、モノマー（Ｍ１）の５０質量％未満、有利に４０質量％未満及び特に有利に２０質量％未満が、エチレン系不飽和モノカルボン酸及びジカルボン酸、その無水物及びエチレン系不飽和ジカルボン酸の半エステル、（メタ）アクリルアミド、Ｃ１〜Ｃ１０ヒドロキシアルキル（メタ）アクリレート、Ｃ１〜Ｃ１０ヒドロキシアルキル（メタ）アクリルアミド及びその混合物（＝モノマーＭ１．ｂ）から選択される、請求項１から６までのいずれか１項に記載の使用。
【請求項８】
ポリマー（Ｐ）が乳化重合によって得られ、該乳化重合に際して、モノマー（Ｍ２）の少なくとも一部分が、燐酸と場合によりアルコキシル化されたヒドロキシアルキル（メタ）アクリレートとのエステル及びその混合物から選択される、請求項１から７までのいずれか１項に記載の使用。
【請求項９】
ポリマー（Ｐ）が乳化重合によって得られ、該乳化重合に際して、モノマー（Ｍ２）の少なくとも一部分が、燐酸と場合によりアルコキシル化されたヒドロキシアルキル（メタ）アクリレートとのモノエステルから選択される、請求項８に記載の使用。
【請求項１０】
ポリマー（Ｐ）が乳化重合によって得られ、該乳化重合に際して、モノマー（Ｍ２）の割合が、乳化重合に使用されるモノマーの全質量に対して、０．０１〜５質量％の範囲にある、請求項１から９までのいずれか１項に記載の使用。
【請求項１１】
ポリマー分散液（ＰＤ）は、乳化重合に使用されるモノマーの全質量に対して、少なくとも１種の乳化剤（Ｅ）を２０質量％まで含有する、請求項１から１０までのいずれか１項に記載の使用。
【請求項１２】
請求項１から１１までのいずれか１項に定義されるポリマー分散液（ＰＤ）を、該分散液から製造される塗被物の耐擦洗性の改善のために用いる使用。
【請求項１３】
請求項１から１１までのいずれか１項に定義されるポリマー分散液（ＰＤ）を、該分散液から製造される塗被物の耐研磨性を改善するために用いる使用。
【請求項１４】
請求項１から１１までのいずれか１項に定義されるポリマー分散液（ＰＤ）を、該分散液から製造される塗被物の耐汚染性を改善するために用いる使用。
【請求項１５】
請求項１から１１までのいずれか１項に定義されるポリマー分散液（ＰＤ）を、該分散液から製造される塗被物中の顔料分散を改善するために用いる使用。
【請求項１６】
請求項１から１１までのいずれか１項に定義されるポリマー分散液（ＰＤ）を、該分散液から製造される塗被物による揮発性有機化合物の放出を減少させるために用いる使用。
【請求項１７】
ポリマー分散液（ＰＤ）が、
ｉ）ホスホン酸又は燐酸と場合によりアルコキシル化されたヒドロキシアルキル（メタ）アクリレートとのエステルから選択される、少なくとも１種のエチレン系不飽和モノマー（Ｍ１）及びそれと異なる少なくとも１種のモノマー（Ｍ２）のラジカル乳化重合によって得られる少なくとも１種のポリマー（Ｐ）、及び
ｉｉ）式（Ｉ）：
Ｒ１−Ｏ−（ＡＯ）ｍ−Ｐ（＝Ｏ）（ＯＲ２）（ＯＨ）      （Ｉ）
［式中、
ｍは、０〜２０の整数を表わし、
ＡＯは、アルキレンオキシを表わし、
Ｒ１は、Ｃ８〜Ｃ３０アルキルを表わし、かつ
Ｒ２は、Ｈ又は基−（ＡＯ）ｍ−Ｒ２ａを表わし、この際、Ｒ２ａはＲ１について挙げられた意味を有し、かつＡＯ及びｍは、前記の意味を有する］の化合物及び式（Ｉ）の化合物の塩から選択される少なくとも１種の乳化剤（Ｅ）
を含有し、かつ
該ポリマー分散液（ＰＤ）が、塗料から製造される塗被物の耐擦洗性の改善のため及び／又は塗料から製造される塗被物の耐研磨性の改善のため及び／又は塗料から製造される塗被物の耐汚染性の改善のため及び／又は塗料から製造される塗被物中の顔料分散の改善のため及び／又は塗料から製造される塗被物による揮発性有機化合物の放出の減少のために使用される、該ポリマー分散液（ＰＤ）を含有する塗料。
【請求項１８】
ｉ）以下のモノマーを含有するモノマー組成物のラジカル乳化重合により得られる少なくとも１種のポリマー（Ｐ）
−  乳化重合に使用されるモノマーの全質量に対して９５〜９９．９９質量％の、α，β−エチレン系不飽和モノカルボン酸及びジカルボン酸とＣ１〜Ｃ３０アルカノールとのエステル、ビニルアルコール又はアリルアルコールとＣ１〜Ｃ３０モノカルボン酸とのエステル、モノエチレン系不飽和カルボン酸及びスルホン酸、α，β−エチレン系不飽和モノカルボン酸の一級アミド及びそのＮ−アルキル誘導体及びＮ，Ｎ−ジアルキル誘導体及びその混合物から選択されるエチレン系不飽和モノマー（Ｍ１）及び
−  乳化重合に使用されるモノマーの全質量に対して０．０１〜５質量％の、ホスホン酸又は燐酸と場合によりアルコキシル化されたヒドロキシアルキル（メタ）アクリレートとのエステルから選択される、前記のモノマー（Ｍ１）と異なる少なくとも１種のモノマー（Ｍ２）
並びに
ｉｉ）式（Ｉ）：
Ｒ１−Ｏ−（ＡＯ）ｍ−Ｐ（＝Ｏ）（ＯＲ２）（ＯＨ）      （Ｉ）
［式中、
ｍは、０〜２０の整数を表わし、
ＡＯは、アルキレンオキシを表わし、
Ｒ１は、Ｃ８〜Ｃ３０アルキルを表わし、かつ
Ｒ２は、Ｈ又は基−（ＡＯ）ｍ−Ｒ２ａを表わし、この際、Ｒ２ａはＲ１について挙げられた意味を有し、かつＡＯ及びｍは、前記の意味を有する］の化合物及び式（Ｉ）の化合物の塩から選択される少なくとも１種の乳化剤（Ｅ）
を含有するポリマー分散液（ＰＤ）。
【請求項１９】
ポリマー（Ｐ）が乳化重合によって得られ、該乳化重合に際して、モノマー（Ｍ１）の少なくとも一部分が、α，β−エチレン系不飽和モノカルボン酸及びジカルボン酸とＣ１〜Ｃ３０アルカノールとのエステルから選択される、請求項１８に記載のポリマー分散液（ＰＤ）。
【請求項２０】
ポリマー（Ｐ）が乳化重合によって得られ、該乳化重合に際して、モノマー（Ｍ２）の少なくとも一部分が、燐酸と場合によりアルコキシル化されたヒドロキシアルキル（メタ）アクリレートとのエステル及びその混合物から選択される、請求項１８又は１９に記載のポリマー分散液（ＰＤ）。
【請求項２１】
ポリマー（Ｐ）が乳化重合によって得られ、該乳化重合に際して、モノマー（Ｍ２）の少なくとも一部分が、燐酸と場合によりアルコキシル化されたヒドロキシアルキル（メタ）アクリレートとのモノエステルから選択される、請求項１８から２０までのいずれか１項に記載のポリマー分散液（ＰＤ）。
【請求項２２】
乳化重合に使用されるモノマーの全質量に対して、少なくとも１種の乳化剤（Ｅ）２０質量％までを含有する、請求項１８から２１までのいずれか１項に記載のポリマー分散液（ＰＤ）。
【請求項２３】
請求項１８から２２までのいずれか１項に定義される、少なくとも１種のポリマー分散液（ＰＤ）を含有する水性組成物の形の塗料。
【請求項２４】
以下の
−  請求項１８から２２までのいずれか１項に記載の、少なくとも１種のポリマー分散液（ＰＤ）、
−  少なくとも１種の無機充填剤及び／又は少なくとも１種の無機顔料、
−  少なくとも１種の常用の助剤、及び
−  水
を含有する、請求項２３に記載の塗料。